(57)【要約】【課題】一般的な両流れの屋根に使用される棟包をそのまま用いることができる片流れ屋根の棟構造を提供する。【解決手段】片流れ屋根の棟側端部において屋根下地１の上に棟包支持桟２を取り付け、棟包支持桟２に水切り材３を取り付けると共に棟包支持桟２の棟側の側面から片流れ屋根の棟側の端面にかけてを水切り材３で覆う。下面が開口し断面形状が対称形に形成される棟包４を水切り材３の上から棟包支持桟２に被せて取り付ける。【選択図】図１
2010007430.tif 000002
【特許請求の範囲】
【請求項１】
片流れ屋根の棟側端部において屋根下地の上に棟包支持桟を取り付け、棟包支持桟に水切り材を取り付けると共に棟包支持桟の棟側の側面から片流れ屋根の棟側の端面にかけてを水切り材で覆い、下面が開口し断面形状が対称形に形成される棟包を水切り材の上から棟包支持桟に被せて取り付けて成ることを特徴とする片流れ屋根の棟構造。
【請求項２】
棟包支持桟から片流れ屋根に葺かれた屋根瓦の上面の間を、シート状の面戸部材で覆って成ることを特徴とする請求項１に記載の片流れ屋根の棟構造。
【請求項３】
断面形状が対称形に形成される金属面戸を水切り材の上から棟包支持桟の上に跨らせて取り付け、金属面戸の軒側部分で、棟包支持桟から片流れ屋根に葺かれた屋根瓦の上面の間を覆って成ることを特徴とする請求項１に記載の片流れ屋根の棟構造。
【請求項４】
片流れ屋根の棟側の端面に化粧破風を設けて成ることを特徴とする請求項１乃至３のいずれか１項に記載の片流れ屋根の棟構造。
【請求項５】
片流れ屋根の端部において棟包支持桟にエンドキャップを取り付け、棟包と同様な断面形状に形成され且つ一方の端部が閉じられた形状の棟巴をエンドキャップの上から棟包支持桟に被せ、棟巴の開口側の端部を棟包の端部に接続すると共に棟巴を棟包支持桟に取り付けて成ることを特徴とする請求項１乃至４のいずれか１項に記載の片流れ屋根の棟構造。
【発明の詳細な説明】
【技術分野】
【０００１】
本発明は、片流れ屋根において、屋根頂部に棟包を取り付けるにあたっての棟構造に関するものである。
【背景技術】
【０００２】
屋根瓦を葺き並べて形成される屋根において、屋根頂部の棟には棟包（棟瓦）が取り付けられる。図９乃至図１２は棟の両側に屋根瓦６が葺かれる一般的な両流れの屋根において、棟に棟包４を取り付ける施工の構造の一例を示すものである。
【０００３】
すなわち、垂木の上に野地板を張り渡して取り付けることによって形成される屋根下地１の上に防水シート２２を張り、図９のように屋根頂部の棟に沿った複数個所に受け金具２３が立設してある。受け金具２３は屋根下地１に釘材２４で打ち付けることによって固定されるものである。次に屋根下地１に張った防水シート２２の上に、図１０のように屋根瓦６を葺き並べ、また受け金具２３に人工木材などで形成される長尺角材状の棟包支持桟２を取り付ける。棟包支持桟２は受け金具２３に掛け渡して釘材２４を打入することによって固定されるものであり、屋根頂部の棟に沿って配置されるものである。図１０において２５はけらば瓦である。
【０００４】
次に図１１のように、金属面戸５を棟包支持桟２の上に跨らせるように配置して取り付け、金属面戸５の両側端部を、棟の両側に葺設された屋根瓦６のうち最上段の屋根瓦６の上面に水密的に接合する。このようにして、棟の両側に葺設された最上段の屋根瓦６の間を金属面戸５で覆って防水性を確保する。この後、下面が開口し断面形状が左右対称形に形成される棟包４を、金属面戸５の上から棟包支持桟２に被せ、棟包４から釘材２４を金属面戸５を通して棟包支持桟２に打入することによって、図１２のように棟包４を取り付けることができるものである。図１２において１０は棟の端部に取り付けられる棟巴である。
【０００５】
上記のように、棟の両側に屋根瓦６が葺かれる一般的な両流れの屋根においては、棟包４として、棟の両側に跨るように左右対称形状に形成されたものが用いられる。
【０００６】
一方、図１３は一方のみに傾斜する片流れ屋根における棟部の構造を示すものであり、１は垂木２０と野地板２１から形成される屋根下地、６は屋根下地１の上に葺かれた屋根瓦、２６は棟側の壁材であり、片流れ屋根の頂部の棟に棟包４が取り付けてある（特許文献１参照）。
【０００７】
片流れ屋根ではこのように棟の片側のみに屋根瓦６が葺かれているので、棟包４は左右の一方の端部は屋根瓦６の上に重ねられるようにしてあるが、棟包４の他方の端部は片流れ屋根の棟側の端面に接して取り付けることができるように垂下した形状に形成してあり、棟包４と棟側の端面との間に隙間ができないようにして、この部分での防水性を確保するようにしてある。このために、片流れ屋根においては、図１３のように左右非対称な断面形状に形成された棟包４が用いられる。
【特許文献１】意匠登録第１０９６５７２号公報
【発明の開示】
【発明が解決しようとする課題】
【０００８】
上記のように、片流れ屋根において使用される棟包４は、棟の両側に屋根瓦６が葺かれる一般的な両流れの屋根に使用される棟包４とは異なる形状であることが必要である。例えば、両流れ屋根に使用される図１２のような左右対称形状の棟包４を、図１３のような片流れ屋根において用いると、棟包４と片流れ屋根の棟側の端面との間に隙間が生じ、この部分から屋根下地１へと雨水が浸入するおそれがあり、防水性を保つことができなくなるものである。
【０００９】
このため、建築頻度が低い片流れ屋根を施工する場合に、一般的な両流れの屋根に使用される棟包４をそのまま用いることはできず、片流れ屋根用に特別に作製した棟包４を用いることが必要であって、コスト高の原因となるものであった。
【００１０】
本発明は上記の点に鑑みてなされたものであり、一般的な両流れの屋根に使用される棟包をそのまま用いることができる片流れ屋根の棟構造を提供することを目的とするものである。
【課題を解決するための手段】
【００１１】
本発明に係る片流れ屋根の棟構造は、片流れ屋根の棟側端部において屋根下地１の上に棟包支持桟２を取り付け、棟包支持桟２に水切り材３を取り付けると共に棟包支持桟２の棟側の側面から片流れ屋根の棟側の端面にかけてを水切り材３で覆い、下面が開口し断面形状が対称形に形成される棟包４を水切り材３の上から棟包支持桟２に被せて取り付けて成ることを特徴とするものである。
【００１２】
このように棟包支持桟２の棟側の側面から片流れ屋根の棟側の端面にかけてを水切り材３で覆うことによって、片流れ屋根の屋根瓦６が存在しない棟側の端面での防水性を水切り材３で確保することができるものであり、片流れ屋根用に特別に作製した棟包４を用いる必要なく、一般的な両流れの屋根に使用される対称形状の棟包４をそのまま用いることができるものである。
【００１３】
また本発明は、棟包支持桟２から片流れ屋根に葺かれた屋根瓦６の上面の間を、シート状の面戸部材７で覆って成ることを特徴とするものである。
【００１４】
このようにシート状の面戸部材７で棟包支持桟２から屋根瓦６の上面の間を覆うことによって、棟包４と屋根瓦６との間の防水性を高く確保することができるものである。
【００１５】
また本発明は、断面形状が対称形に形成される金属面戸５を水切り材３の上から棟包支持桟２の上に跨らせて取り付け、金属面戸５の軒側部分で、棟包支持桟２から片流れ屋根に葺かれた屋根瓦６の上面の間を覆って成ることを特徴とするものである。
【００１６】
このように金属面戸５で棟包支持桟２から屋根瓦６の上面の間を覆うことによって、棟包４と屋根瓦６との間の防水性を高く確保することができるものであり、しかも金属面戸５として一般的な両流れの屋根に使用される対称形状のものをそのまま用いることができるものである。
【００１７】
また本発明は、片流れ屋根の棟側の端面に化粧破風８を設けて成ることを特徴とするものであり、片流れ屋根の棟を美麗に仕上げることができるものである。
【００１８】
また本発明は、片流れ屋根の端部において棟包支持桟２にエンドキャップ９を取り付け、棟包４と同様な断面形状に形成され且つ一方の端部が閉じられた形状の棟巴１０をエンドキャップ９の上から棟包支持桟２に被せ、棟巴１０の開口側の端部を棟包４の端部に接続すると共に棟巴１０を棟包支持桟２に取り付けて成ることを特徴とするものである。
【００１９】
このように棟巴１０を取り付けることによって、エンドキャップ９と棟巴１０で棟包４の端部の開口を閉じて棟の端部での防水性を確保することができるものであり、また棟巴１０として一般的な両流れの屋根に使用される対称形状のものをそのまま用いることができるものである。
【発明の効果】
【００２０】
本発明によれば、棟包支持桟２の棟側の側面から片流れ屋根の棟側の端面にかけてを水切り材３で覆うことによって、片流れ屋根の屋根瓦６が存在しない棟側の端面での防水性を水切り材３で確保することができ、片流れ屋根用に特別に作製した棟包４を用いる必要なく、一般的な両流れの屋根に使用される対称形状の棟包４をそのまま用いることができるものであり、コスト高となることなく片流れ屋根を施工することができるものである。
【発明を実施するための最良の形態】
【００２１】
以下、本発明を実施するための最良の形態を説明する。
【００２２】
図１は本発明の実施の形態の一例を示すものであり、傾斜して配置される垂木２０の上に野地板２１を張り渡して取り付けることによって、屋根下地１が形成してある。屋根下地１は一方から他方へと片流れに傾斜するものであり、棟となる頂部において垂木２０の先端面に破風板３０が取り付けてある。３１は壁材、３２は柱である。
【００２３】
このように片流れに傾斜する屋根下地１の上に屋根瓦６や棟包４を葺設する施工を行なうことによって、片流れ屋根を造作することができるものであり、この施工は既述の図９〜図１２のような一般的な両流れの屋根の施工に準じて行なうことができる。
【００２４】
すなわちまず、屋根下地１の野地板２１の上面から破風板３０の外面にかけて防水シート２２を張る（既述の図９参照）。このように防水シート２２を張った後、この防水シート２２の上から屋根下地１上に棟包支持桟２を取り付け、また防水シート２２の上から屋根下地１上に屋根瓦６を葺き並べる（既述の図１０参照）。
【００２５】
棟包支持桟２は長尺角材状の人工木材などで形成されるものであり、屋根下地１の頂部の棟に沿って取り付けられるものである。屋根下地１への棟包支持桟２の取り付けは、図１の実施の形態では、棟包支持桟２を複数本積み上げて屋根下地１に釘材等で直接固定することによって行なうようにしているが、既述の図１０のように受け金具２３を用いて行なうようにしてもよい。葺き並べられる屋根瓦６のうち、最上段の屋根瓦６は棟側端部を棟包支持桟２に近接させて配置するものであり、各屋根瓦６は釘材２４で屋根下地１に固定されるものである。また破風板３０の外面に防水シート２２の上から化粧破風８を取り付け、片流れ屋根の棟に化粧を施すようにしてある。
【００２６】
次に、棟包支持桟２に水切り材３を取り付ける。水切り材３は図２に示すように、鉛直な固定片３４の下端に斜めに傾斜片３５を延設すると共に傾斜片３５の先端に水切り片３６を垂下して延設することによって形成されるものであり、長尺金属板で形成されるものである。そして水切り材３を棟包支持桟２の棟側の側面（軒側と反対側の側面）に配置して、水切り材３の固定片３４を棟包支持桟２のこの側面の上端部に当接させると共に、釘材２４を固定片３４から棟包支持桟２に打入することによって、図１（ｂ）のように棟包支持桟２の棟側の側面に水切り材３を取り付けるようにしてあり、このとき水切り片３６が図１（ａ）のように、片流れ屋根の棟側の端面を形成する化粧破風８の上部の外面に当接するようにしてある。図１の実施の形態では、破風板３０の上に下地桟３７を取り付け、水切り片３６からこの下地桟３７に釘材２４を打入することによって、水切り片３６も固定するようにしてあるが、水切り片３６は特に固定する必要はない。このように水切り材３を取り付けることによって、棟包支持桟２の軒側の側面の上端から片流れ屋根の棟側の端面にかけてを、水切り材３で覆うことができるものである。
【００２７】
また棟包支持桟２の軒側の側面にはアルミニウムシートなど屈曲自在なシート材で形成される面戸部材７が取り付けてある。この面戸部材７の棟側の側端部を棟包支持桟２の軒側の側面に貼り付けてあり、面戸部材７の軒側の側端部を最上段の屋根瓦６の棟側端部の上面に重ねて貼り付けてある。面戸部材７の貼り付けは、図１（ｂ）のように防水粘着テープ５６や粘着剤などを用いて行なうことができる。このように面戸部材７を貼り付けることによって、棟包支持桟２の軒側の側面の上端から片流れ屋根に葺かれた屋根瓦６の上面の間にかけて面戸部材７で覆うことができるものである。
【００２８】
この後、片流れ屋根の上端部の棟に棟包４を取り付ける。この棟包４としては、棟の両側に屋根瓦６が葺かれる一般的な両流れの屋根に使用される、下面が開口し断面形状が対称形に形成されるもの、例えば既述の図１２に示すような下向き開口の断面略Ｃ字形に形成されるものを用いるものである。そしてこの棟包４を水切り材３及び面戸部材７の上から棟包支持桟２の上に跨らせるように被せ、棟包４の幅方向中央部を棟包支持桟２の上端に載置して、棟包４から棟包支持桟２に釘材２４を打入することによって、棟包４を棟包支持桟２に固定するものである。
【００２９】
このように断面対称形状に形成される棟包４を棟包支持桟２に跨らせて取り付けることによって、図１（ａ）に示すように、棟包４の軒側の側端部は最上段の屋根瓦６の棟側端部の上に被せられるが、棟包４の軒側と反対側の側端部は片流れ屋根の棟よりも外方へ飛び出すことになり、棟包４のこの飛び出す側端部の下面と片流れ屋根の棟側の端面との間に隙間が生じることになる。しかし上記のように棟包支持桟２の上端から片流れ屋根の棟側の端面にかけて水切り材３で覆うようにしてあるので、棟包４の飛び出した側端部と片流れ屋根の棟側端面の間の隙間から雨水が吹き込むなどしても、水切り材３で遮断して雨水が屋根下地１へと浸入することを防ぐことができ、防水性を確保することができるものである。このように棟包４が棟より外方に飛び出す部分での防水性を水切り材３で確保することによって、片流れ屋根においても、両流れの一般的な屋根に使用される対称形状の棟包４をそのまま用いることが可能になるものである。
【００３０】
また棟包支持桟２の軒側においては、棟包支持桟２と最上段の屋根瓦６との間を面戸部材７で覆ってあるので、棟包４の軒側の側端部と屋根瓦６の上面の間を通過して雨水が浸入しても、面戸部材７で雨水を遮断して、雨水が屋根下地１へと浸入することを防ぐことができ、この部分での防水性を確保することができるものである。
【００３１】
また、上記のように棟包４は、棟側の側端部は最上段の屋根瓦６の上に載置して支持されており、反対側の側端部は棟より外方に飛び出すが、図１（ａ）に示すように、この飛び出した部分の下面が水切り材３の傾斜片３５の上面に載置されるようにしてあり、棟包４の飛び出す側の端部も水切り材３を利用して支持されるようにしてある。このように棟包４の左右の両側端部を支持することによって、ガタツキなく安定して棟包４を取り付けることができるものである。このとき、棟包４の両側中段部に、水切り材３の傾斜片３５と同様に傾斜する傾斜段部３９が形成してあり、水切り材３の上端を棟包支持桟２の上端に位置合せした高さで、水切り材３を棟包支持桟２に取り付けることによって、棟包支持桟２の上に取り付けた棟包４の傾斜段部３９が水切り材３の傾斜片３５の上に載置されるようにしてある。
【００３２】
図３は本発明の他の実施の形態を示すものである。図１の実施の形態では、最上段の屋根瓦６はその棟側端部が棟包支持桟２にちょうど近接する位置に取り付けられているが、図３の実施の形態では、最上段の屋根瓦６を切断して寸法調整することによって、この最上段の屋根瓦６の棟側端部が棟包支持桟２に近接する位置になるようにしてある。この場合には、屋根瓦６の棟側端部の下面に桟木４１を差し込んで高さ調整する必要がある。また屋根瓦６の棟側端部の上面には防水堤４０が突設してあるが、屋根瓦６を切断することによってこの防水堤４０は除去されて存在しなくなるので、面戸部材７と屋根瓦６の間に防水シーラーやシーリング材などの防水材５７を施して防水性を高めるようにする必要がある。
【００３３】
図４は本発明の他の実施の形態を示すものであり、上記の面戸部材７の代わりに金属面戸５を用いるようにしたものである。この金属面戸５は、一般的な両流れの屋根に使用される、下面が開口し断面形状が対称形に形成されるものを用いることができる。例えば既述の図１１で使用したものを用いることができるものであり、図５に示すように、断面下向きコ字形の嵌合片４２と、嵌合片４２の両下端から斜め外下方へ延出される中段傾斜片４３と、各中段傾斜片４３の先端に延設されるＬ型端面の先端水切り片４４とから形成されるものである。
【００３４】
そして既述のように水切り材３を棟包支持桟２に取り付けた後、図４（ｂ）のように、水切り材３の上から嵌合片４２を棟包支持桟２の上端部に嵌めこむことによって、棟包支持桟２に跨らせた状態で金属面戸５を取り付けるようにしてある。他の構成は図１の場合と同様である。
【００３５】
このものにあって、図４（ａ）のように、金属面戸５の軒側の側端部の先端水切り片４４は最上段の屋根瓦６の上面に防水シーラー４５を介して密着させるようにしてあり、棟包支持桟２と屋根瓦６の上面との間を金属面戸５の軒側の部分で覆って防水性を確保し、雨水が屋根下地１へと浸入することを防ぐようにしてある。また金属面戸５の軒と反対側の中段傾斜片４３は、水切り材３の傾斜片３５の上に載置されるようになっている。このため、棟包支持桟２に取り付けた棟包４の棟より飛び出す側端部の傾斜段部３９は、中段傾斜片４３を介して水切り材３の傾斜片３５の上に載置され、棟包４の飛び出す側の端部が水切り材３と金属面戸５で支持されるようになっている。
【００３６】
図６の実施の形態は、図４の実施の形態において、図３の場合と同様に最上段の屋根瓦６を切断して寸法調整したものである。
【００３７】
上記の各実施の形態のように棟包４を取り付ける施工を行なった後、棟のけらば側の端部において棟包４に接続して棟巴１０を取り付けることによって、棟のけらば側端部の水仕舞いが行なわれるものであり、棟巴１０の取り付け施工について説明する。
【００３８】
この棟巴１０を取り付けにはエンドキャップ９が用いられる。図７は本発明の片流れ屋根用に形成されたエンドキャップ９を示すものであり、図７（ｃ）のように裁断された金属板を、図７（ｃ）に鎖線で示す線で山折りに、破線で示す線で谷折りに折曲することによって、図７（ａ）（ｂ）のような形状にエンドキャップ９を形成することができるものである。すなわちエンドキャップ９は、鉛直な固定片４７と、固定片４７の下端に斜めに延出される傾斜片４８と、傾斜片４８の先端に垂下して延出される水切り片４９とから形成される側板５０と、側板５０の水切り片４９の一方の側端縁に直角に屈曲されて設けられるエンド板５１とからなるものであり、エンド板５１の下端には下水平片５２が内側へ折曲して設けてある。エンド板５１の横幅寸法は傾斜片４８の横幅寸法の２倍強に形成してあって、エンド板５１の上端縁の水切り片４９側の半分弱の範囲は傾斜片４８と同じ角度で傾斜するように切り落としてあり、傾斜片４８から延設して折曲した接合片５３をこの箇所においてエンド板５１にリベット等で固定し、エンドキャップ９の上記の形状が保たれるようにしてある。ここで、側板５０の固定片４７、傾斜片４８、水切り片４９の断面形状・寸法は、既述の水切り材３の固定片３４、傾斜片３５、水切り片３６の断面形状・寸法とほぼ一致するように形成されているものである。
【００３９】
また棟巴１０としては、既述の図１２に示すような、一般的な両流れの屋根に使用される断面形状が対称形に形成されるものを用いることができる。すなわち、上記の棟包４と同様な断面形状に形成される本体部１０ａと、本体部１０ａの一方の端部の開口を閉じるけらば片１０ｂとで形成されるものであり、けらば片１０ｂは下部が本体部１０ａよりも下方へ突出した形状に形成してある。
【００４０】
そして、棟のけらば側の端部において、図８（ａ）のように、エンドキャップ９を棟包支持桟２に取り付ける。エンドキャップ９の取り付けは、側板５０を棟包支持桟２の棟側に配置して、固定片４７を棟包支持桟２の側面に当接させると共に、釘材２４を固定片４７から棟包支持桟２に打入することによって行なうものである。このときエンドキャップ９の水切り片４９が化粧破風８の上部の外面に当接するようにしてあり、エンド板５１で棟のけらば側端面が覆われるものである。また、エンドキャップ９の側板５０の固定片４７、傾斜片４８、水切り片４９は、棟包支持桟２に取り付けられた水切り材３の固定片３４、傾斜片３５、水切り片３６の端部に重ねられている。このようにエンドキャップ９を棟包支持桟２に取り付けた後、棟巴１０の本体部１０ａをエンドキャップ９の上から棟包支持桟２の上に跨らせるように被せて載置し、本体部１０ａから棟包支持桟２に釘材２４を打入することによって、棟巴１０を棟包支持桟２に固定するものであり、図８（ｂ）のように棟巴１０の取り付けを行なうことができるものである。このとき、棟巴１０の本体部１０ａの両側部の中段部には傾斜段部５４が形成してあり、図８（ａ）に示すように、軒と反対側へ棟より飛び出す側の傾斜段部５４がエンドキャップ９の傾斜片４８の上に載置されることによって、棟巴１０の棟より飛び出す部分をエンドキャップ９で支持できるようにしてある。
【図面の簡単な説明】
【００４１】
【図１】本発明の実施の形態の一例を示すものであり、（ａ）は断面図、（ｂ）は一部の拡大断面図である。
【図２】同上の水切り材の斜視図である。
【図３】本発明の他の実施の形態の一例を示す断面図である。
【図４】本発明の他の実施の形態の一例を示すものであり、（ａ）は断面図、（ｂ）は一部の拡大断面図である。
【図５】同上の金属面戸の斜視図である。
【図６】本発明の他の実施の形態の一例を示す断面図である。
【図７】エンドキャップを示すものであり、（ａ）及び（ｂ）は斜視図、（ｃ）は展開した図である。
【図８】棟巴の取り付けを示すものであり、（ａ）（ｂ）はそれぞれ正面図である。
【図９】両流れ屋根の施工の一例における一工程を示す斜視図である。
【図１０】両流れ屋根の施工の一例における一工程を示す斜視図である。
【図１１】両流れ屋根の施工の一例における一工程を示す斜視図である。
【図１２】両流れ屋根の施工の一例における一工程を示す斜視図である。
【図１３】従来例の断面図である。
【符号の説明】
【００４２】
１  屋根下地
２  棟包支持桟
３  水切り材
４  棟包
５  金属面戸
６  屋根瓦
７  面戸部材
８  化粧破風
９  エンドキャップ
１０  棟巴
【図１】
2010007430.tif 000003
【図２】
2010007430.tif 000004
【図３】
2010007430.tif 000005
【図４】
2010007430.tif 000006
【図５】
2010007430.tif 000007
【図６】
2010007430.tif 000008
【図７】
2010007430.tif 000009
【図８】
2010007430.tif 000010
【図９】
2010007430.tif 000011
【図１０】
2010007430.tif 000012
【図１１】
2010007430.tif 000013
【図１２】
2010007430.tif 000014
【図１３】
2010007430.tif 000015